(57)【特許請求の範囲】
【請求項１】
ファスニングテープを有し、このファスニングテープを当該紙おむつの所定箇所に止着することによって身体に装着する紙おむつにおいて、
当該紙おむつの前記身体の肌に接する部分に、紙おむつを装着する姿勢位置で前記身体の肌に仮着するための粘着剤を塗布したことを特徴とする紙おむつ。
【請求項２】
前記粘着剤が、当該紙おむつに設けられている吸収体を除く部分に塗布されていることを特徴とする請求項１記載の紙おむつ。
【請求項３】
前記粘着剤が、当該紙おむつを身体に装着した状態において形成される開口の縁部に塗布されていることを特徴とする請求項１記載の紙おむつ。
【請求項４】
ファスニングテープを有し、このファスニングテープを当該紙おむつの所定箇所に止着することによって身体に装着する紙おむつにおいて、
前記身体を仰臥させて載せ得るシーツ等の対象部材に、当該紙おむつを剥離可能に止着する仮着手段を設けたことを特徴とする紙おむつ。
【請求項５】
前記仮着手段は、前記紙おむつの少なくとも周部を前記対象部材に止着するものであることを特徴とする請求項４記載の紙おむつ。
【発明の詳細な説明】
【０００１】
【発明の属する技術分野】
本発明は、ファスニングテープを有し、このファスニングテープを当該紙おむつの所定箇所に止着することによって身体に装着するテープ式の紙おむつ、及びこの紙おむつの装着方法に関する。
【０００２】
【従来の技術】
従来のテープ式紙おむつは、紙おむつの後見頃の両側にファスニングテープが設けられ、前身頃の前面にフロントターゲットテープが設けられている。装着に際して作業者は、紙おむつの前見頃及び後身頃をそれぞれ身体の肌に宛った後、ファスニングテープを腹側に持ち込んでフロントターゲットテープに止着することにより、紙おむつの装着を完了する。
【０００３】
【発明が解決しようとする課題】
しかしながら、身体は装着作業中に必ずしも静止しているとは限らず、紙おむつの前見頃及び後身頃をそれぞれ身体の肌に宛った後、ファスニングテープを腹側に持ち込んでフロントターゲットテープに止着するまでに、身体の挙動により紙おむつが位置ずれする場合がある。その結果、位置ずれしたままの状態で装着を完了してしまい、漏れの一因となってしまう。
【０００４】
また、大人用のテープ式紙おむつは、漏れ防止のために製品のクロッチ部やウエスト部に伸縮性を持たせていることから、装着時におむつ自身が縮み、内側に配置されている吸収体が波打ちを起こす。しかも、大人用のテープ式紙おむつは形状が大きく介護者が１人の場合、この波打ちによる皺を直すことは困難となる。このため、波打ちが残ったまま装着することがあり、これに起因して隙間ができたり、ずれたりして漏れの一因となり、さらには、装着感を低下させたり、サイズ不適合となる場合も生ずる。
【０００５】
本発明は、このような従来の課題に鑑みてなされたものであり、容易かつ適正に装着することのできる紙おむつ及び紙おむつの装着方法を提供することを目的とするものである。
【０００６】
【課題を解決するための手段】
前記課題を解決するために請求項１記載の発明にあっては、ファスニングテープを有し、このファスニングテープを当該紙おむつの所定箇所に止着することによって身体に装着する紙おむつにおいて、当該紙おむつの前記身体の肌に接する部分に、紙おむつを装着する姿勢位置で前記身体の肌に仮着するための粘着剤を塗布したものとしている。
【００１０】
したがって、紙おむつを身体に装着するに際しては、紙おむつが収縮している場合にはこれを伸ばして、身体の肌に宛うと、粘着剤により紙おむつが身体の肌に仮着され、しかる後に、ファスニングテープを当該紙おむつの所定箇所に止着することにより、紙おむつの装着が完了する。
【００１１】
このとき、紙おむつは粘着剤により、予め身体の肌に仮着されていることから、紙おむつの前見頃及び後身頃をそれぞれ身体の肌に宛った後、ファスニングテープを当該紙おむつの所定箇所に止着するまでに、身体が動作してもその挙動により紙おむつが位置ずれしてしまうことはない。よって、容易に位置ずれのない適正な状態で紙おむつを装着することができ、これにより漏れの発生を防止することができる。
【００１４】
また、請求項２記載の発明にあっては、前記粘着剤が、当該紙おむつに設けられている吸収体を除く部分に塗布されている。したがって、塗布された粘着剤により吸収体の吸収機能が阻害されることはない。
【００１５】
また、請求項３記載の発明にあっては、前記粘着剤が、当該紙おむつを身体に装着した状態において形成される開口の縁部に塗布されている。したがって、開口の縁部にて身体の肌に仮着されることとなり、これにより効果的に安定した仮着状態を形成することができる。
【００１６】
また、請求項４記載の発明にあっては、ファスニングテープを有し、このファスニングテープを当該紙おむつの所定箇所に止着することによって身体に装着する紙おむつにおいて、前記身体を仰臥させて載せ得るシーツ等の対象部材に、当該紙おむつを剥離可能に止着する仮着手段を設けてある。
【００１７】
したがって、紙おむつを身体に装着するに際してはこれを伸ばして、仮着手段により例えばシーツに仮着する。しかる後に、このシーツに仮着された紙おむつ上に、身体を移送して仰臥させた状態で位置決めし、ファスニングテープを当該紙おむつの所定箇所に止着することにより、紙おむつの装着が完了する。
【００１８】
このとき、紙おむつは仮着手段により、予め収縮を伸ばされてシーツに仮着されていたことから、波打ちや皺が残ったまま装着されることはない。よって、波打ちや皺により隙間ができたり、ずれたりすることもなく、これに起因する漏れの発生や、装着感の低下、サイズ不適合となる事態の発生を防止することができる。
しかも、紙おむつをシーツ等に仮着する際に、紙おむつの収縮を伸ばせばよいのであるから、介護者が１人の場合であっても、波打ちによる皺を容易に直すことができる。
【００１９】
また、請求項５記載の発明にあっては、前記仮着手段は、前記紙おむつの少なくとも周部を前記対象部材に止着するものである。よって、紙おむつの周部が仮着されることにより、収縮を効果的に伸ばした状態で仮着することができる。
【００２８】
【発明の実施の形態】
以下、本発明の実施の形態を図に従って説明する。
【００２９】
（第１の実施の形態）
図１は、本発明の第１の実施の形態にかかる紙おむつの使用面側から見た展開状態における一部破断平面図である。この紙おむつの全体形状は、略砂時計形状であって中央部に相対向する湾曲状の狭窄部１、１が設けられ、この狭窄部１、１の一端部側に後身頃２を有するとともに、他端部側に前身頃３を有している。この紙おむつは、ポリエチレン等からなり不透液性を有する非使用面側（裏面側）のバックシート４と、不織布等からなり透液性を有する使用面側（表面側）のトップシート５、及びこれらバックシート４とトップシート５との間に配置された吸収体６とからなる。トップシート５側には、前記狭窄部１、１に沿って湾曲状に弾性伸縮部材７、７がそれぞれ伸長下で固定されている。
【００３０】
後見頃２の両端部には、基端部をバックシート４に固着された一対のファスニングテープ８、８が設けられている。このファスニングテープ８、８は、図１の左方に示すように、製品状態では紙おむつの使用面側に折り重ねられ、使用時には同図の右方に示すように展開される。また、このファスニングテープ８、８には、図１のＡ−Ａ線矢示断面図である図２に示すように、展開状態における上面に仮着用粘着剤９が塗布され、下面には止着用粘着剤１０が塗布されている。  仮着用粘着剤９は人間（身体）の肌に貼着する特性を有し、止着用粘着剤１０は前記トップシート５に貼着する特性を有している。
【００３１】
以上の構成にかかる第１の実施の形態において、紙おむつを身体に装着するに際しては、ファスニングテープ８、８を展開状態にし、紙おむつが収縮している場合にはこれを伸ばし、図３に示すように、紙おむつを装着する姿勢位置で、後身頃２を身体Ｐの背下部に宛った後、ファスニングテープ８、８を仮着用粘着剤９により身体Ｐの腹に仮着する。しかる後に、前身頃３を身体Ｐの腹側に折り返してその両端部を、身体Ｐの腹に仮着されているファスニングテープ８、８上に押し付ける。すると、上面となっている止着用粘着剤１０にトップシート５の対応する部分が貼着されて、紙おむつの装着が完了する。
【００３２】
このとき、紙おむつはファスニングテープ８、８を介して仮着用粘着剤９により、予め身体Ｐの腹に仮着されていることから、紙おむつの前見頃３を身体Ｐの身体に宛った後、後見頃２をファスニングテープ８、８の止着用粘着剤１０に止着するまでに、身体Ｐが動作してもその挙動により紙おむつが位置ずれしてしまうことはない。よって、容易に位置ずれのない適正な状態で紙おむつを装着することができ、これにより漏れの発生を防止することができる。
【００３３】
なお、紙おむつの装着を完了した後は、仮着用粘着剤９が身体Ｐの肌に貼着している必要はない。むしろ身体Ｐの肌から剥離することが好ましいことから、仮着用粘着剤９は、紙おむつの装着完了後においては身体Ｐの挙動により剥離する程度の、比較的軽度の粘着性を有するものが好ましい。
【００３４】
（第２の実施の形態）
【００３５】
図４及び図５は、本発明の第２の実施の形態を示すものである。図４に示すように、本実施の形態にかかる紙おむつには、バックシート４の前身頃３側にフロントターゲットテープ１２が固着されている。また、ファスニングテープ８、８には、図４のＢ−Ｂ線矢示断面図である図５に示すように、展開状態における上面に仮着兼止着用粘着剤１３が塗布されている。この仮着兼止着用粘着剤１３は、人間（身体）の肌には軽度の貼着力で剥離可能に貼着し、かつ、フロントターゲットテープ１２に対してはこれより遙かに強度の粘着力で貼着する特性を有している。
【００３６】
なお、これ以外の他の構成は前述の第１の実施の形態として示した紙おむつと同様であるので、同一部分に同一符号を付して説明を省略する。
【００３７】
以上の構成にかかる第２の実施の形態において、紙おむつを身体に装着するに際しては、ファスニングテープ８、８を展開状態にし、紙おむつが収縮している場合にはこれを伸ばし、前述の図３に示したように、後身頃２を身体Ｐの背下部に宛った後、仮着兼止着用粘着剤１３によりファスニングテープ８、８を身体Ｐの腹に仮着する。
【００３８】
次に、前身頃３を身体Ｐの腹側に折り返し、しかる後に一方のファスニングテープ８を身体Ｐの腹から剥離させて、再度仮着兼止着用粘着剤１３により、素早くフロントターゲットテープ１２に貼着する。引き続き、同様に他方のファスニングテープ８を身体Ｐの腹から剥離させて、再度仮着兼止着用粘着剤１３より、素早くフロントターゲットテープ１２に貼着する。これにより、両ファスニングテープ８、８がフロントターゲットテープ１２の両端部に止着されて、紙おむつの装着が完了する。
【００３９】
このとき、紙おむつはファスニングテープ８、８を介して仮着兼止着用粘着剤１３により、予め身体Ｐの腹に仮着されていることから、紙おむつの前見頃３を身体Ｐの身体に宛った後、身体Ｐが動作してもその挙動により紙おむつが位置ずれしてしまうことはない。よって、容易に位置ずれのない適正な状態で紙おむつを装着することができ、これにより漏れの発生を防止することができる。
【００４０】
しかも、本実施の形態によれば、従来の紙おむつのファスニングテープ８、８に塗布されている粘着剤を、仮着兼止着用粘着剤１３に置換すればよいのであるから、容易に実施化が可能となる。
【００４１】
（第３の実施の形態）
【００４２】
図６及び図７は、本発明の第３の実施の形態を示すものである。図６に示すように、本実施の形態にかかる紙おむつには、トップシート５の吸収体６を除く部分にハッチングで示したように仮着用粘着剤１４が塗布されている。この仮着用粘着剤１４は、第１の実施の形態で用いた仮着用粘着剤９と同様の特性を有するものであって、身体の肌に貼着する特性を有している。
【００４３】
また、ファスニングテープ８、８には、図６のＢ−Ｂ線矢示断面図である図７に示すように、展開状態における上面に止着用粘着剤１５が塗布されている。この止着用粘着剤１５は、フロントターゲットテープ１２に対して強度の粘着力で貼着する特性を有するものであって、従来においてファスニングテープ８、８に用いられているものと同様の特性である。
【００４４】
なお、これ以外の他の構成は前述の第２の実施の形態として示した紙おむつと同様であるので、同一部分に同一符号を付して示す。
【００４５】
以上の構成にかかる第３の実施の形態において、紙おむつを身体に装着するに際しては、ファスニングテープ８、８を展開状態にし、紙おむつが収縮している場合にはこれを伸ばし、従来の紙おむつと同様に、後身頃２を身体の背下部に宛った後、前身頃３を腹に宛う。すると、後身頃２は身体の背下部に、前身頃３は腹に、それぞれ仮着用粘着剤１４により貼着されるとともに、身体の足の付け根付近に狭窄部１、１が仮着用粘着剤１４により貼着される。したがって、次にファスニングテープ８を止着用粘着剤１５を介してフロントターゲットテープ１２に貼着する際に、身体Ｐが動作してもその挙動により紙おむつが位置ずれしてしまうことはない。よって、容易に位置ずれのない適正な状態で紙おむつを装着することができ、これにより漏れの発生を防止することができる。
【００４６】
しかも、本実施の形態においては、仮着用粘着剤１４は吸収体６を除く部分に塗布されていることから、塗布された仮着用粘着剤１４により吸収体６の吸収機能が阻害されることもない。
【００４７】
（第４の実施の形態）
【００４８】
図８は、本発明の第４の実施の形態を示すものである。この第４の実施の形態は、仮着用粘着剤１４の塗布部分のみが前述した第３実施の形態とは異なっている。すなわち、本実施の形態においては、当該紙おむつを身体に装着した状態において形成される開口の縁部である狭窄部１、１の縁部のみにハッチングで示したように前記仮着用粘着剤１４が塗布されている。
【００４９】
以上の構成にかかる第４の実施の形態において、紙おむつを身体に装着するに際しては、ファスニングテープ８、８を展開状態にし、紙おむつが収縮している場合にはこれを伸ばし、従来の紙おむつと同様に、後身頃２を身体の背下部に宛った後、前身頃３を腹に宛う。すると、身体の足の付け根付近に狭窄部１、１が仮着用粘着剤９により貼着される。したがって、次にファスニングテープ８を止着用粘着剤１５を介してフロントターゲットテープ１２に貼着する際に、身体Ｐが動作して両足を動かしても、その挙動により紙おむつが位置ずれしてしまうことはない。よって、容易に位置ずれのない適正な状態で紙おむつを装着することができ、これにより漏れの発生を防止することができる。
【００５０】
しかも、本実施の形態においては、仮着用粘着剤９は狭窄部１、１の縁部のみに塗布されていることから、より少ない仮着用粘着剤９の塗布により、効果的に安定した仮着状態を形成することができる。
【００５１】
（第５の実施の形態）
【００５２】
図９及び図１０は、本発明の第５の実施の形態を示すものである。図９は、本発明の第５の実施の形態にかかる紙おむつの非使用面側から見た展開状態における平面図である。この紙おむつのバックシート４には、後身頃２と前身頃３の両端部、すなわち当該紙おむつの四隅部に各々仮着用粘着剤１６が塗布されている。この仮着用粘着剤１６は、本実施の形態においてはシーツに剥離自在に貼着する特性を有している。より詳しくは、可及的強固にシーツに貼着しつつも、作業者の力でシーツを破れさせることなく剥離可能な貼着力を有している。
【００５３】
また、図１０に示すように、これら仮着用粘着剤１６が塗布されている以外の他の構成は、前述の図４に示した第２の実施の形態と同様であり、同一符号を付して示す。但し、ファスニングテープ８、８に塗布されている粘着剤は第２の実施の形態とは異なり、本実施の形態においてファスニングテープ８、８には、図７に示した第３の実施の形態と同様の面に、前記止着用粘着剤１５が塗布されている。つまり、ファスニングテープ８、８に塗布されている止着用粘着剤１５は、フロントターゲットテープ１２に対して強度の粘着力で貼着する特性を有するものであって、従来においてファスニングテープ８、８に用いられているものと同様の特性である。
【００５４】
以上の構成にかかる第５の実施の形態において、紙おむつを身体に装着するに際しては、ファスニングテープ８、８を展開状態にし、紙おむつが収縮している場合にはこれを伸ばす。そして、図１０に示すように、バックシート４側を下方にして、一端部側の仮着用粘着剤１６、１６をベッド上に敷設されているシーツＳに貼着する。さらに、他端部を引張しておむつの収縮を伸ばしつつ、他端部側の仮着用粘着剤１６、１６をシーツＳに貼着する。これにより、紙おむつは、吸収体６や弾性伸縮部材７、７の存在に起因する皺や波打ち、あるいは大人用のテープ式紙おむつに設けられているクロッチ部やウエスト部の伸縮性に起因する皺や波打ちが生じていない状態で、シーツＳに仮着される。
【００５５】
次に、このシーツＳに仮着された紙おむつ上に、身体を移送して仰臥させた状態で位置決めし、後身頃２を身体Ｐの背下部に当接させる。しかる後に、前身頃３側の仮着用粘着剤１６、１６をシーツＳから剥離させつつ、前身頃３を身体の腹側に折り返す。さらに、後身頃２側の仮着用粘着剤１６、１６をシーツＳから剥離させつつ、ファスニングテープ８、８を腹側に持ち込んでフロントターゲットテープ１２に止着用粘着剤１５により止着して、紙おむつの装着を完了する。
【００５６】
若しくは、図１１に示すように、バックシート４側を下方にして、一端部側の仮着用粘着剤１６、１６をベッド又は布団ＢＦに貼着する。さらに、他端部を引張しておむつの収縮を伸ばしつつ、他端部側の仮着用粘着剤１６、１６をベッド又は布団ＢＦに貼着する。これにより、紙おむつは、吸収体６や弾性伸縮部材７、７の存在に起因する皺や波打ち、あるいは大人用のテープ式紙おむつに設けられているクロッチ部やウエスト部の伸縮性に起因する皺や波打ちが生じていない状態で、ベッド又は布団ＢＦに仮着される。
【００５７】
次に、このベッド又は布団ＢＦに仮着された紙おむつ上に、身体Ｐを移送して図示のように紙おむつを装着する姿勢位置にし、後身頃２を身体Ｐの背下部に当接させる。しかる後に、前身頃３側の仮着用粘着剤１６、１６をベッド又は布団ＢＦから剥離させつつ、前身頃３を身体の腹側に折り返す。さらに、後身頃２側の仮着用粘着剤１６、１６をベッド又は布団ＢＦから剥離させつつ、ファスニングテープ８、８を腹側に持ち込んでフロントターゲットテープ１２に止着用粘着剤１５により止着して、紙おむつの装着を完了する。
【００５８】
したがって、本実施の形態によれば、紙おむつは予め収縮を伸ばされてシーツＳに仮着されていることから、波打ちや皺が残ったまま装着されることはない。よって、波打ちや皺により隙間ができたり、ずれたりすることもなく、これに起因する漏れの発生や、装着感の低下、サイズ不適合となる事態の発生を防止することができる。
しかも、紙おむつをシーツＳに仮着する際に、紙おむつの収縮をを伸ばせばよいのであるから、介護者が１人の場合であっても、波打ちによる皺を容易に直すことができる。
【００５９】
（第６の実施の形態）
【００６０】
図１２は、本発明の第６の実施の形態を示すものである。この第６の実施の形態は、仮着用粘着剤１６の塗布部分のみが前述した第５実施の形態とは異なっている。すなわち、本実施の形態においては、さらにバックシート４の中央部に横方向へ延在する３本の領域に仮着用粘着剤１６が塗布されている。
かかる本実施の形態によれば、特に吸収体６の収縮を効果的に防止しつつ、紙おむつをシーツに仮着することができる。
【００６１】
（第７の実施の形態）
【００６２】
図１３は、本発明の第７の実施の形態を示すものである。この第７の実施の形態も、仮着用粘着剤１６の塗布部分のみが前述した第５実施の形態とは異なっている。すなわち、本実施の形態においては、さらにバックシート４の中央部に縦方向方向へ延在する２本の領域に仮着用粘着剤１６が塗布されているとともに、後身頃２側の端部中央及び前身頃３側の端部中央に仮着用粘着剤１６が塗布されている。
【００６３】
かかる本実施の形態によれば、特に弾性伸縮部材７、７の収縮性に起因する皺や波打ち、及びウエスト部の伸縮性に起因する皺や波打ちを効果的に防止しつつ、紙おむつをシーツに仮着することができる。
【００６４】
（第８の実施の形態）
【００６５】
図１４〜１５は、本発明の第８の実施の形態を示すものである。この第８の実施の形態においては、前見頃３の両端部には、基端部をバックシート４に固着された一対の仮着用テープ１７、１７が設けられている。この仮着テープ１７、１７の展開状態における上面には仮着用粘着剤１６が塗布されており、この仮着用粘着剤１６は前述した第５〜第７において用いたものと同様のものである。
【００６６】
一方、ファスニングテープ８、８の展開状態における上面には、仮着兼止着用粘着剤１８が塗布されている。この仮着兼止着用粘着剤１８は、シーツＳに対しては所定の貼着力で剥離可能に貼着し、かつ、フロントターゲットテープ１２に対してはこれより遙かに強度の粘着力で貼着する特性を有している。
なお、その他前述した実施の形態と同一の構成部分については、同一符号を付して説明を省略する。
【００６７】
以上の構成にかかる第８の実施の形態において、紙おむつを身体に装着するに際しては、ファスニングテープ８、８及び仮着用テープ１７、１７を展開状態にし、紙おむつが収縮している場合にはこれを伸ばす。そして、図１５及び図１６に示すように、ファスニングテープ８、８は、仮着兼止着用粘着剤１８を表面にして下方に折り返し、仮着用テープ１７、１７も仮着用粘着剤１６を表面にして下方に折り返す。
【００６８】
次に、バックシート４側を下方にして、図１６（ａ）に示すように、ファスニングテープ８、８の折り返し部分８ａを仮着兼止着用粘着剤１８にてベッド上に敷設されているシーツＳに貼着する。しかる後に、他端部を引張しておむつの収縮を伸ばしつつ、図１６（ｂ）に示すように、他端部側の仮着用テープ１７、１７の折り返し部分１７ａを仮着用粘着剤１６にて前記シーツＳに貼着する。これにより、紙おむつは、吸収体６や弾性伸縮部材７、７の存在に起因する皺や波打ち、あるいは大人用のテープ式紙おむつに設けられているクロッチ部やウエスト部の伸縮性に起因する皺や波打ちが生じていない状態で、シーツＳに仮着される。
【００６９】
次に、このシーツＳに仮着された紙おむつ上に、身体を移送して仰臥さ
せた状態で位置決めし、後身頃２を身体Ｐの背下部に当接させる。しかる後に、前身頃３側の仮着用テープ１７、１７をシーツＳから剥離させつつ、前身頃３を身体の腹側に折り返す。さらに、後身頃２側の仮着用粘着剤１６、１６をシーツＳから剥離させつつ、ファスニングテープ８、８を腹側に持ち込んでフロントターゲットテープ１２に止着用粘着剤１５を介して止着し、紙おむつの装着を完了する。
したがって、本実施の形態によれば、ファスニングテープ８、８をシーツＳに対する仮着手段として有効利用することができる。
【００７０】
なお、仮着用粘着剤の塗布形態は、以上の第５〜第８の実施の形態に示した構成に限定されるものではなく、例えばバックシート４の全面、あるいは縁部に塗布する等、他の部分に塗布するようにしてもよい。
【００７１】
また、第５〜第８の実施の形態においては、仮着対象をシーツＳ（布）とした場合を示したがこれに限定されるものではなく、樹脂製のベッド（樹脂）、木製のベッド（木）等、他の部材を仮着対象とし得ることは勿論である。
【００７２】
【発明の効果】
以上説明したように本発明は、紙おむつを装着する姿勢位置で当該紙おむつを身体の肌等の所定の対象に仮着するようにしたことから、ファスニングテープを当該紙おむつの所定箇所に止着するまでに、身体が動作してもその挙動により紙おむつが位置ずれすることを防止することができる。その結果、容易に位置ずれのない適正な状態で紙おむつを装着することができ、これにより漏れの発生を防止することができる。
【００７３】
また、身体を仰臥させて載せ得るシーツ等の対象部材に、当該紙おむつを剥離可能に止着するようにしたことから、予め収縮を伸ばしてシーツに仮着することにより、波打ちや皺が残ったままで紙おむつが装着され事態の発生を防止することができる。よって、波打ちや皺により隙間ができたり、ずれたりすることもなく、これに起因する漏れの発生や、装着感の低下、サイズ不適合となる事態の発生も防止することができる。
しかも、紙おむつをシーツ等に仮着する際に、紙おむつの収縮をを伸ばせばよいのであるから、介護者が１人の場合であっても、波打ちによる皺を容易に直すことができる。
【図面の簡単な説明】
【図１】本発明の第１の実施の形態にかかる紙おむつの使用面側から見た展開状態における一部破断平面図である。
【図２】図１のＡ−Ａ線矢示断面図である。
【図３】同実施の形態の装着時の状態を示す平面図である。
【図４】本発明の第２の実施の形態にかかる紙おむつの使用面側から見た展開状態における一部破断平面図である。
【図５】図４のＢ−Ｂ線矢示断面図である。
【図６】本発明の第３の実施の形態にかかる紙おむつの使用面側から見た展開状態における一部破断平面図である。
【図７】図６のＣ−Ｃ線矢示断面図である。
【図８】本発明の第４の実施の形態にかかる紙おむつの使用面側から見た展開状態における一部破断平面図である。
【図９】本発明の第５の実施の形態にかかる紙おむつの非使用面側から見た展開状態における平面図である。
【図１０】同実施の形態の実施の形態におけるシーツへの仮着時の状態における一部破断平面図である。
【図１１】同実施の形態の実施の形態におけるベッド又は布団への仮着時の状態における一部破断平面図である。
【図１２】本発明の第６の実施の形態にかかる紙おむつの非使用面側から見た展開状態における平面図である。
【図１３】本発明の第７の実施の形態にかかる紙おむつの非使用面側から見た展開状態における平面図である。
【図１４】本発明の第８の実施の形態にかかる紙おむつの使用面側から見た展開状態における平面図である。
【図１５】同実施の形態の実施の形態におけるシーツへの仮着時の状態における一部破断平面図である。
【図１６】（ａ）は、図１５のＤ−Ｄ線矢示断面図、（ｂ）はＥ−Ｅ線矢示断面図である。
【符号の説明】
１    狭窄部
２    後身頃
３    前見頃
４    バックシート
５    トップシート
６    吸収体
７    弾性伸縮部材
８    ファスニングテープ
９    仮着用粘着剤
１０    止着用粘着剤
１２    フロントターゲットテープ
１３    仮着兼止着用粘着剤
１４    仮着用粘着剤
１５    止着用粘着剤
１６    仮着用粘着剤
１７    仮着テープ
１８    仮着兼止着用粘着剤
Ｐ    身体
Ｓ    シーツ
【図１】
0003590618.tif 000002
【図２】
0003590618.tif 000003
【図３】
0003590618.tif 000004
【図４】
0003590618.tif 000005
【図５】
0003590618.tif 000006
【図６】
0003590618.tif 000007
【図７】
0003590618.tif 000008
【図８】
0003590618.tif 000009
【図９】
0003590618.tif 000010
【図１０】
0003590618.tif 000011
【図１１】
0003590618.tif 000012
【図１２】
0003590618.tif 000013
【図１３】
0003590618.tif 000014
【図１４】
0003590618.tif 000015
【図１５】
0003590618.tif 000016
【図１６】
0003590618.tif 000017